(57)【要約】【課題】番組を構成するＴＳパケットのＰＩＤの増減に影響されず、番組情報の内容と番組の送出状況を整合させる番組及び番組情報送出を実現する。【解決手段】番組送出サーバ３のＴＳパケットフィルタ部３ｅが、予め保持した受信サービスＩＤに対応する所定のテーブルの情報に基づき、ＴＳパケットを選択してＩＰパケットに格納し送出する。番組送出サーバ３のセクションデータ複製削除部３ｇが、受信したＭＰＥＧ−２  ＴＳ内で提供されるマルチ編成時の番組情報構成を判定し、イベント共有時の番組情報を生成または削除する。【選択図】図１
2008035355.tif 000002
【特許請求の範囲】
【請求項１】
受信したＭＰＥＧ−２  ＴＳに含まれる番組とその番組に関する番組情報を合わせたＩＰマルチキャストストリームを送出する番組送出サーバと、
該番組送出サーバから送信された番組情報に基づいたＩＰマルチキャストストリームを構築して送出する番組情報送出サーバを有し、
前記番組送出サーバと番組情報送出サーバがネットワークで接続された番組及び番組情報送出システムであって、
前記番組送出サーバが、
予め保持した受信サービスＩＤに対応するプログラムマップテーブル、ＥＩＴの情報に基づいて、送出対象のＴＳパケットを選択してＩＰパケットに格納して送出するＴＳパケットフィルタ部と、
ＥＩＴの情報内容に基づいて、前記受信したＭＰＥＧ−２  ＴＳ内で提供されるマルチ編成時の番組情報構成を判定し、イベント共有時の番組情報を生成または削除するセクションデータ複製削除部と、
を備え、
前記番組情報送出サーバが、
前記番組送出サーバからのセクションデータを受信する前記セクションデータ受信部と、
受信したセクションデータをＴＳパケットに格納するセクションデータＴＳパケット格納部と、
前記セクションデータＴＳパケット格納部から入力されるＴＳパケットをＲＴＰパケットに格納し、該ＲＴＰパケットにＵＤＰヘッダおよびＩＰヘッダを付与して出力するＩＰパケット格納部と、
を備える、
ことを特徴とする番組及び番組情報送出システム。
【請求項２】
請求項１に記載の番組及び番組情報送出システムであって、
前記ＴＳパケットフィルタ部が、
予め保持した受信サービスＩＤに対応するプログラムマップテーブルと、他のサービスＩＤに対応するプログラムマップテーブルを取得し、
それぞれのプログラムマップテーブルに記述された番組を構成するＴＳパケットのＰＩＤを比較し、一致する場合は、受信サービスＩＤが他のサービスとイベント共有中であると判定し、
イベント共有中の場合は、当該時刻の受信サービスＩＤに対応するＥＩＴ［ｓｃｈｅｄｕｌｅ］を取得し、イベントグループ記述子以外の記述子の有無を確認し、
イベントグループ記述子以外の記述子が存在しない場合で、かつマルチ編成共有チャネル送出の有無を示すマルチ編成共有チャネル送出有無情報が送出無しの場合には、ＴＳパケットフィルタの送出パケット情報を送出なしに設定し、
イベント共有でない場合、または、イベントグループ記述子以外の記述子が存在する場合、または、イベントグループ記述子以外の記述子が存在しない場合でかつマルチ編成共有チャネル送出有無情報が送出有の場合には、ＴＳパケットフィルタにプログラムマップテーブルに記述された番組を構成するＴＳパケットのＰＩＤを送出するように設定し、
設定されたＴＳパケットフィルタの情報に基づいて、設定されているＰＩＤを有するＴＳパケットをのみを選別して送出し、
前記セクションデータ複製削除部が、
予め保持した受信サービスＩＤに対応するＥＩＴ［ｓｃｈｅｄｕｌｅ］に、イベントグループ記述子を含むか否かと、イベントグループ記述子以外の記述子を含むか否かを確認し、
前記ＥＩＴ［ｓｃｈｅｄｕｌｅ］にイベントグループ記述子が含まれ、かつ、イベントグループ記述子以外の記述子が含まれていない場合は、受信サービスＩＤが参照するサービスＩＤである、と判定し、
受信サービスＩＤが参照するサービスＩＤであり、かつ、予め保持したマルチ編成共有チャネル送出有無情報が送出有の場合に、処理中のＥＩＴ［ｓｃｈｅｄｕｌｅ］のセクションデータの欠落箇所に、イベントグループ記述子で示される参照されるサービスＩＤのセクションデータを複製し、参照するサービスＩＤに対応するＥＩＴ［ｓｃｈｅｄｕｌｅ］を生成し、
受信サービスＩＤが参照するサービスＩＤであり、かつ予め保持したマルチ編成共有チャネル送出有無情報が送出無しの場合に、処理中のＥＩＴ［ｓｃｈｅｄｕｌｅ］および処理中のＥＩＴ［ｓｃｈｅｄｕｌｅ］と同一のイベントＩＤを有するＥＩＴ［ｐ／ｆ］を削除する、
ことを特徴とする番組及び番組情報送出システム。
【請求項３】
ＴＳパケットにフィルタをかけるＴＳパケットフィルタ部，セクションデータを複製または削除するセクションデータ複製削除部を備え、受信したＭＰＥＧ−２  ＴＳに含まれる番組とその番組に関する番組情報を合わせたＩＰマルチキャストストリームを送出する番組送出サーバと、
セクションデータを受信するセクション受信部，セクションデータＴＳパケットを格納するセクションデータＴＳパケット格納部，ＩＰパケットを格納するＩＰパケット格納部を備え、前記番組送出サーバから送信された番組情報に基づいたＩＰマルチキャストストリームを構築して送出する番組情報送出サーバが、ネットワークで接続され、
前記番組送出サーバと番組情報送出サーバによって番組及び番組情報を送出する番組及び番組情報送出方法であって、
前記ＴＳパケットフィルタ部が予め保持した受信サービスＩＤに対応するプログラムマップテーブル、ＥＩＴの情報に基づいて、送出対象のＴＳパケットを選択してＩＰパケットに格納して送出するＴＳパケットフィルタステップと、
前記セクションデータ複製削除部がＥＩＴの情報内容に基づいて、前記受信したＭＰＥＧ−２  ＴＳ内で提供されるマルチ編成時の番組情報構成を判定し、イベント共有時の番組情報を生成または削除するセクションデータ複製削除ステップと、
前記セクションデータ受信部が、前記番組送出サーバからのセクションデータを受信するステップと、
前記セクションデータＴＳパケット格納部が、受信したセクションデータをＴＳパケットに格納するステップと、
前記ＩＰパケット格納部が、前記セクションデータＴＳパケット格納部から入力されるＴＳパケットをＲＴＰパケットに格納し、該ＲＴＰパケットにＵＤＰヘッダおよびＩＰヘッダを付与して出力するステップと、
を有することを特徴とする番組及び番組情報送出方法。
【請求項４】
請求項３に記載の番組及び番組情報送出方法であって、
前記ＴＳパケットフィルタステップが、
予め保持した受信サービスＩＤに対応するプログラムマップテーブルと、他のサービスＩＤに対応するプログラムマップテーブルを取得するステップと、
それぞれのプログラムマップテーブルに記述された番組を構成するＴＳパケットのＰＩＤを比較し、一致する場合は、受信サービスＩＤが他のサービスとイベント共有中であると判定するステップと、
イベント共有中の場合は、当該時刻の受信サービスＩＤに対応するＥＩＴ［ｓｃｈｅｄｕｌｅ］を取得し、イベントグループ記述子以外の記述子の有無を確認するステップと、
イベントグループ記述子以外の記述子が存在しない場合で、かつマルチ編成共有チャネル送出有無情報が送出無しの場合には、ＴＳパケットフィルタの送出パケット情報を送出なしに設定するステップと、
イベント共有でない場合、または、イベントグループ記述子以外の記述子が存在する場合、または、イベントグループ記述子以外の記述子が存在しない場合でかつマルチ編成共有チャネル送出有無情報が送出有の場合には、ＴＳパケットフィルタにプログラムマップテーブルに記述された番組を構成するＴＳパケットのＰＩＤを送出するように設定するステップと、
設定されたＴＳパケットフィルタの情報に基づいて、設定されているＰＩＤを有するＴＳパケットをのみを選別して送出するステップと、
を有し、
前記セクションデータ複製削除ステップが、
予め保持した受信サービスＩＤに対応するＥＩＴ［ｓｃｈｅｄｕｌｅ］に、イベントグループ記述子を含むか否かと、イベントグループ記述子以外の記述子を含むか否かを確認するステップと、
前記ＥＩＴ［ｓｃｈｅｄｕｌｅ］にイベントグループ記述子が含まれ、かつ、イベントグループ記述子以外の記述子が含まれていない場合は、受信サービスＩＤが参照するサービスＩＤである、と判定するステップと、
受信サービスＩＤが参照するサービスＩＤであり、かつ、予め保持したマルチ編成共有チャネル送出有無情報が送出有の場合に、
処理中のＥＩＴ［ｓｃｈｅｄｕｌｅ］のセクションデータの欠落箇所に、イベントグループ記述子で示される参照されるサービスＩＤのセクションデータを複製し、参照するサービスＩＤに対応するＥＩＴ［ｓｃｈｅｄｕｌｅ］を生成するステップと、
受信サービスＩＤが参照するサービスＩＤであり、かつ予め保持したマルチ編成共有チャネル送出有無情報が送出無しの場合に、
処理中のＥＩＴ［ｓｃｈｅｄｕｌｅ］および処理中のＥＩＴ［ｓｃｈｅｄｕｌｅ］と同一のイベントＩＤを有するＥＩＴ［ｐ／ｆ］を削除するステップと、
を有する、
ことを特徴とする番組及び番組情報送出方法。
【請求項５】
受信したＭＰＥＧ−２  ＴＳに含まれる番組とその番組に関する番組情報を合わせたＩＰマルチキャストストリームを送出する番組送出サーバと、
該番組送出サーバから送信された番組情報に基づいたＩＰマルチキャストストリームを構築して送出する番組情報送出サーバを有し、
前記番組送出サーバと番組情報送出サーバがネットワークで接続された番組及び番組情報送出システムであって、
前記番組送出サーバが、
ネットワーク情報テーブルの情報内容に基づいて、受信したＭＰＥＧ−２  ＴＳの放送メディアを判別し、その結果から番組情報の送出経路を選択するセクションデータ出力制御部、
を備え、
前記番組情報送出サーバが、
前記番組送出サーバからのセクションデータを受信する前記セクションデータ受信部と、
受信したセクションデータをＴＳパケットに格納するセクションデータＴＳパケット格納部と、
前記セクションデータＴＳパケット格納部から入力されるＴＳパケットをＲＴＰパケットに格納し、該ＲＴＰパケットにＵＤＰヘッダおよびＩＰヘッダを付与して出力するＩＰパケット格納部と、
を備える、
を備えることを特徴とする番組及び番組情報送出システム。
【請求項６】
請求項５に記載の番組及び番組情報送出システムであって、
前記セクションデータ出力制御部が、
ネットワーク情報テーブル中の情報に基づいて、受信するＭＰＥＧ−２  ＴＳの放送メディアを特定し、
番組情報の内容が各地域で異なる地上デジタル放送のチャネルの場合に、ＥＩＴ［ｓｃｈｅｄｕｌｅ］を番組と多重したＩＰマルチキャストストリームを送出する指示を設定し、
番組情報が全国共通のＢＳデジタル放送、ＣＳデジタル放送のチャネルの場合には、ＥＩＴ［ｓｃｈｅｄｕｌｅ］を他のサービスのＥＩＴ［ｓｃｈｅｄｕｌｅ］と合わせて、単一の番組情報専用のＩＰマルチキャストストリームを送出する指示を設定する、
を備えることを特徴とする番組及び番組情報送出システム。
【請求項７】
セクションデータの出力を制御するセクションデータ出力制御部を備え、受信したＭＰＥＧ−２  ＴＳに含まれる番組とその番組に関する番組情報を合わせたＩＰマルチキャストストリームを送出する番組送出サーバと、
セクションデータを受信するセクション受信部，セクションデータＴＳパケットを格納するセクションデータＴＳパケット格納部，ＩＰパケットを格納するＩＰパケット格納部を備え、前記番組送出サーバから送信された番組情報に基づいたＩＰマルチキャストストリームを構築して送出する番組情報送出サーバが、ネットワークで接続され、
前記番組送出サーバと番組情報送出サーバによって番組及び番組情報を送出する番組及び番組情報送出方法であって、
前記セクションデータ出力制御部がネットワーク情報テーブルの情報内容に基づいて、受信したＭＰＥＧ−２  ＴＳの放送メディアを判別し、その結果から番組情報の送出経路を選択するセクションデータ出力制御ステップと、
前記セクションデータ受信部が、前記番組送出サーバからのセクションデータを受信するステップと、
前記セクションデータＴＳパケット格納部が、受信したセクションデータをＴＳパケットに格納するステップと、
前記ＩＰパケット格納部が、前記セクションデータＴＳパケット格納部から入力されるＴＳパケットをＲＴＰパケットに格納し、該ＲＴＰパケットにＵＤＰヘッダおよびＩＰヘッダを付与して出力するステップと、
を有することを特徴とする番組及び番組情報送出方法。
【請求項８】
請求項７に記載の番組及び番組情報送出方法であって、
前記セクションデータ出力制御ステップが、
ネットワーク情報テーブル中の情報に基づいて、受信するＭＰＥＧ−２  ＴＳの放送メディアを特定するステップと、
番組情報の内容が各地域で異なる地上デジタル放送のチャネルの場合に、ＥＩＴ［ｓｃｈｅｄｕｌｅ］を番組と多重したＩＰマルチキャストストリームを送出する指示を設定するステップと、
番組情報が全国共通のＢＳデジタル放送、ＣＳデジタル放送のチャネルの場合には、ＥＩＴ［ｓｃｈｅｄｕｌｅ］を他のサービスのＥＩＴ［ｓｃｈｅｄｕｌｅ］と合わせて、単一の番組情報専用のＩＰマルチキャストストリームを送出する指示を設定するステップと、
を有することを特徴とする番組及び番組情報送出方法。
【発明の詳細な説明】
【技術分野】
【０００１】
本発明は、映像、音声などから構成される番組と、番組配信のための制御情報や番組の内容や属性を記述した番組情報をあわせてＩＰネットワーク上で放送配信する（ＩＰ放送）ための、番組および番組情報送出技術に関するものである。
【背景技術】
【０００２】
従来のＩＰ（Ｉｎｔｅｒｎｅｔ  Ｐｒｏｔｏｃｏｌ）放送における番組および番組情報の配信装置（例えば、特許文献１参照）を図５に基づいて以下に説明する。
【０００３】
図５中の装置は、放送波を受信しＭＰＥＧ−２  ＴＳ（Ｍｏｖｉｎｇ  Ｐｉｃｔｕｒｅ  Ｅｘｐｅｒｔｓ  Ｇｒｏｕｐ  ｐｈａｓｅ  ２  Ｔｒａｎｓｐｏｒｔ  Ｓｔｒｅａｍ）を送出するチューナ１と中継部２から構成される。
【０００４】
さらに、中継部２は、前記ＭＰＥＧ−２  ＴＳをＩＰ網に適した形式に変換するＮＩＴ（Ｎｅｔｗｏｒｋ  Ｉｎｆｏｒｍａｔｉｏｎ  Ｔａｂｌｅ：ネットワーク情報テーブル）変換処理部２ａ，多重化処理部２ｂ，ＭＰＥＧ−２パケットに基づいてＩＰパケットを作成するＩＰ格納処理部２ｃから構成される。
【０００５】
まず、中継部２が放送波を受信したチューナ１から出力されるＭＰＥＧ−２  ＴＳを受け取る。
【０００６】
次に、ＮＩＴ変換処理部２ａは、通信路を特定するマルチキャストアドレスと、放送チャネルを特定するサービスＩＤ（Ｉｄｅｎｔｉｆｉｅｒ）の対応関係を記述したＮＩＴに基づいて、衛星放送の方式からＩＰ網の方式へ変更する。
【０００７】
次に、多重化処理部２ｂは、ＮＩＴ変換処理部２ａから送出されたデータなどに基づいて多重化処理を行いＭＰＥＧ−２パケットへ変換し、送出する。
【０００８】
そして、ＩＰ格納処理部２ｃが、前記ＭＰＥＧ−２パケットに基づいてＩＰパケットを作成する。即ち、ＩＰマルチキャストストリームを構成するＴＳパケットをＩＰパケットに格納してマルチキャストで送出するものである。
【０００９】
以上のように、送出されたＩＰマルチキャストストリームを受信機に通知することによって、受信機で、ユーザが選択した各チャネルに対応したＩＰマルチキャストストリームを選択受信可能としている。
【００１０】
ここで、ＩＰ放送における一般的なプロトコルスタックを図６に基づいて説明する。図６中のＩＰレイヤＬ１，ＵＤＰ（Ｕｓｅｒ  Ｄａｔａｇｒａｍ  Ｐｒｏｔｏｃｏｌ）レイヤＬ２，ＲＴＰ（Ｒｅａｌ−ｔｉｍｅ  Ｔｒａｎｓｐｏｒｔ  Ｐｒｏｔｏｃｏｌ）レイヤＬ３は、インターネットプロトコルスタックにおける一般的なレイヤであるため、説明を省略する。ＭＰＥＧ−２  ＴＳレイヤＬ４は、ＭＰＥＧ−２  ＴＳのためのレイヤである。ＰＥＳ（Ｐａｃｋｅｔｉｚｅｄ  Ｅｌｅｍｅｎｔａｒｙ  Ｓｔｒｅａｍ）レイヤＬ５は、パケット化するためのレイヤである。レイヤＬ７は、映像音声データのためのレイヤである。レイヤＬ８は、ニュースなどの情報サービスデータのためのレイヤである。レイヤＬ９は、ＥＰＧ（Ｅｌｅｃｔｒｏｎｉｃ  Ｐｒｏｇｒａｍ  Ｇｕｉｄｅ）などの番組情報のためのレイヤである。
【００１１】
以上のような従来方式では、ＮＩＴなどの番組情報を、チャネルに依存しない、番組とは別のマルチキャストストリームにて配信することが考慮されているためである。このような番組情報専用のマルチキャストストリームを運用することによって、一度のマルチキャストＪｏｉｎで複数チャネルの番組情報を取得することが可能になり、サービス性を高めるとともに、エッジルータに対するＪｏｉｎ／Ｌｅａｖｅの発行を軽減できる。
【００１２】
なお、ＩＰ放送に関する技術として、ＭＰＥＧ−２に関する規格（例えば、非特許文献１参照）、デジタル放送に関する規格や資料（例えば、非特許文献２，３，４参照）も、広く知られている。
【特許文献１】特開２００４−２３６００号公報（段落［００４０］〜［００７８］等）。
【非特許文献１】Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ，”ＩＳＯ／ＩＥＣ  １３８１８−１：２０００  Ｉｎｆｏｒｍａｔｉｏｎ  Ｔｅｃｈｎｏｌｏｇｙ−−Ｇｅｎｅｒｉｃ  Ｃｏｄｉｎｇ  ｏｆ  Ｍｏｖｉｎｇ  Ｐｉｃｔｕｒｅｓ  ａｎｄ  Ａｓｓｏｃｉａｔｅｄ  Ａｕｄｉｏ  Ｉｎｆｏｒｍａｔｉｏｎ：Ｓｙｓｔｅｍｓ”，２，Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ，２００５−１１−０２．
【非特許文献２】電波産業会、「デジタル放送に使用する番組配列情報標準規格（ＡＲＩＢ  ＳＴＢ  Ｂ１０）」、４．２版、電波産業会、平成１８年５月２９日。
【非特許文献３】電波産業会、「ＢＳ／広帯域ＣＳデジタル放送運用規定技術資料（ＡＲＩＢ  ＴＲ  Ｂ１５）」、３．７版、電波産業会、平成１８年５月２９日。
【非特許文献４】電波産業会、「地上デジタルテレビジョン放送運用規定技術資料（ＡＲＩＢ  ＴＲ  Ｂ１４）」、２．８版、電波産業会、平成１８年５月２９日。
【発明の開示】
【発明が解決しようとする課題】
【００１３】
上述のような従来方式には、次のような課題があった。
【００１４】
まず、第一の課題は、ＩＰパケットに格納するＴＳパケットの動的な変更が困難であるため、例えば、番組を構成するＴＳパケットのＰＩＤ（Ｐａｃｋｅｔ  Ｉｄｅｎｔｉｆｉｅｒ）が変更されたり、増減した場合に、正常に番組を送出することが難しくなることである。
【００１５】
また、サービス毎に個別のマルチキャストアドレスを付与して送出する場合、特に図７に示すようなマルチ編成運用（ＨＤＴＶ（Ｈｉｇｈ  Ｄｅｆｉｎｉｔｉｏｎ  ＴｅｌｅＶｉｓｉｏｎ）１ｃｈ（チャネル）提供Ｂ１とＳＤＴＶ（Ｓｔａｎｄａｒｄ  Ｄｅｆｉｎｉｔｉｏｎ  Ｔｅｌｅｖｉｓｉｏｎ）複数ｃｈ（チャネル）提供Ｂ２が混在する編成運用であって、ＰＩＤが頻繁に変更される運用）が実施されると、正常な番組送出が困難にもなる。例えば、図７中のチャネル１００ＣＨ１００とチャネル１０１ＣＨ１０１を正常に送出できない。
【００１６】
第二の課題は、次のようなものである。ＩＰマルチキャストで放送波中のＭＰＥＧ−２  ＴＳを送信する際に番組情報が変更されないため、番組情報の内容と番組の送出状況が不整合になる。その結果、ユーザの番組選択が困難になるという課題である。
【００１７】
例えば、図７に示すようにマルチ編成の場合、受信したＭＰＥＧ−２  ＴＳパケットＰに多重されている番組情報をそのまま利用すると、不完全な番組情報を送出したり、番組マルチキャストストリーム上の送出内容と不一致な番組情報を送出してしまう。
【００１８】
第三の課題は、番組情報マルチキャストストリームで送出する番組情報の収集を、入力ストリームに応じて自動的に行わないため、番組情報データ内容の地域性から選択的にストリームを構成することが困難であることである。そのため、サービス提供における運用負荷が増大してしまう。
【００１９】
以上のように、従来の方法では、受信したＭＰＥＧ−２  ＴＳに動的に対応して、適当な番組マルチキャストストリームや番組情報マルチキャストストリームを自動生成することが困難であるため、運用負荷が高くなったり、サービスが継続に支障を来たす、といった課題が発生する。
【００２０】
本発明は、前記課題に基づいてなされたものであって、受信したＭＰＥＧ−２  ＴＳに関して、送出対象のＴＳパケットを自動的に選択してＩＰパケットに格納して送出し、マルチ編成時の番組情報構成を判定し、イベント共有時の番組情報を生成または削除する番組及び番組情報送出システム，番組及び番組情報送出方法と、ＮＩＴの情報内容から受信したＭＰＥＧ−２  ＴＳの放送メディアを判別し、その結果から番組情報の送出経路を選択する番組及び番組情報送出システム，番組及び番組情報送出方法を提供することにある。
【課題を解決するための手段】
【００２１】
前記課題の解決を図るために、請求項１記載の発明は、受信したＭＰＥＧ−２  ＴＳに含まれる番組とその番組に関する番組情報を合わせたＩＰマルチキャストストリームを送出する番組送出サーバと、該番組送出サーバから送信された番組情報に基づいたＩＰマルチキャストストリームを構築して送出する番組情報送出サーバを有し、前記番組送出サーバと番組情報送出サーバがネットワークで接続された番組及び番組情報送出システムであって、前記番組送出サーバが、予め保持した受信サービスＩＤに対応するプログラムマップテーブル、ＥＩＴの情報に基づいて、送出対象のＴＳパケットを選択してＩＰパケットに格納して送出するＴＳパケットフィルタ部と、ＥＩＴの情報内容に基づいて、前記受信したＭＰＥＧ−２  ＴＳ内で提供されるマルチ編成時の番組情報構成を判定し、イベント共有時の番組情報を生成または削除するセクションデータ複製削除部と、を備え、前記番組情報送出サーバが、前記番組送出サーバからのセクションデータを受信する前記セクションデータ受信部と、受信したセクションデータをＴＳパケットに格納するセクションデータＴＳパケット格納部と、前記セクションデータＴＳパケット格納部から入力されるＴＳパケットをＲＴＰパケットに格納し、該ＲＴＰパケットにＵＤＰヘッダおよびＩＰヘッダを付与して出力するＩＰパケット格納部と、を備える、ことを特徴とする。
【００２２】
請求項２記載の発明は、請求項１記載の発明において、前記ＴＳパケットフィルタ部が、予め保持した受信サービスＩＤに対応するプログラムマップテーブルと、他のサービスＩＤに対応するプログラムマップテーブルを取得し、それぞれのプログラムマップテーブルに記述された番組を構成するＴＳパケットのＰＩＤを比較し、一致する場合は、受信サービスＩＤが他のサービスとイベント共有中であると判定し、イベント共有中の場合は、当該時刻の受信サービスＩＤに対応するＥＩＴ［ｓｃｈｅｄｕｌｅ］を取得し、イベントグループ記述子以外の記述子の有無を確認し、イベントグループ記述子以外の記述子が存在しない場合で、かつマルチ編成共有チャネル送出の有無を示すマルチ編成共有チャネル送出有無情報が送出無しの場合には、ＴＳパケットフィルタの送出パケット情報を送出なしに設定し、イベント共有でない場合、または、イベントグループ記述子以外の記述子が存在する場合、または、イベントグループ記述子以外の記述子が存在しない場合でかつマルチ編成共有チャネル送出有無情報が送出有の場合には、ＴＳパケットフィルタにプログラムマップテーブルに記述された番組を構成するＴＳパケットのＰＩＤを送出するように設定し、設定されたＴＳパケットフィルタの情報に基づいて、設定されているＰＩＤを有するＴＳパケットをのみを選別して送出し、前記セクションデータ複製削除部が、予め保持した受信サービスＩＤに対応するＥＩＴ［ｓｃｈｅｄｕｌｅ］に、イベントグループ記述子を含むか否かと、イベントグループ記述子以外の記述子を含むか否かを確認し、前記ＥＩＴ［ｓｃｈｅｄｕｌｅ］にイベントグループ記述子が含まれ、かつ、イベントグループ記述子以外の記述子が含まれていない場合は、受信サービスＩＤが参照するサービスＩＤである、と判定し、受信サービスＩＤが参照するサービスＩＤであり、かつ、予め保持したマルチ編成共有チャネル送出有無情報が送出有の場合に、処理中のＥＩＴ［ｓｃｈｅｄｕｌｅ］のセクションデータの欠落箇所に、イベントグループ記述子で示される参照されるサービスＩＤのセクションデータを複製し、参照するサービスＩＤに対応するＥＩＴ［ｓｃｈｅｄｕｌｅ］を生成し、受信サービスＩＤが参照するサービスＩＤであり、かつ予め保持したマルチ編成共有チャネル送出有無情報が送出無しの場合に、処理中のＥＩＴ［ｓｃｈｅｄｕｌｅ］および処理中のＥＩＴ［ｓｃｈｅｄｕｌｅ］と同一のイベントＩＤを有するＥＩＴ［ｐ／ｆ］を削除する、ことを特徴とする。
【００２３】
請求項３記載の発明は、ＴＳパケットにフィルタをかけるＴＳパケットフィルタ部，セクションデータを複製または削除するセクションデータ複製削除部を備え、受信したＭＰＥＧ−２  ＴＳに含まれる番組とその番組に関する番組情報を合わせたＩＰマルチキャストストリームを送出する番組送出サーバと、セクションデータを受信するセクション受信部，セクションデータＴＳパケットを格納するセクションデータＴＳパケット格納部，ＩＰパケットを格納するＩＰパケット格納部を備え、前記番組送出サーバから送信された番組情報に基づいたＩＰマルチキャストストリームを構築して送出する番組情報送出サーバが、ネットワークで接続され、前記番組送出サーバと番組情報送出サーバによって番組及び番組情報を送出する番組及び番組情報送出方法であって、前記ＴＳパケットフィルタ部が予め保持した受信サービスＩＤに対応するプログラムマップテーブル、ＥＩＴの情報に基づいて、送出対象のＴＳパケットを選択してＩＰパケットに格納して送出するＴＳパケットフィルタステップと、前記セクションデータ複製削除部がＥＩＴの情報内容に基づいて、前記受信したＭＰＥＧ−２  ＴＳ内で提供されるマルチ編成時の番組情報構成を判定し、イベント共有時の番組情報を生成または削除するセクションデータ複製削除ステップと、前記セクションデータ受信部が、前記番組送出サーバからのセクションデータを受信するステップと、前記セクションデータＴＳパケット格納部が、受信したセクションデータをＴＳパケットに格納するステップと、前記ＩＰパケット格納部が、前記セクションデータＴＳパケット格納部から入力されるＴＳパケットをＲＴＰパケットに格納し、該ＲＴＰパケットにＵＤＰヘッダおよびＩＰヘッダを付与して出力するステップと、を有することを特徴とする。
【００２４】
請求項４記載の発明は、請求項３記載の発明において、前記ＴＳパケットフィルタステップが、予め保持した受信サービスＩＤに対応するプログラムマップテーブルと、他のサービスＩＤに対応するプログラムマップテーブルを取得するステップと、それぞれのプログラムマップテーブルに記述された番組を構成するＴＳパケットのＰＩＤを比較し、一致する場合は、受信サービスＩＤが他のサービスとイベント共有中であると判定するステップと、イベント共有中の場合は、当該時刻の受信サービスＩＤに対応するＥＩＴ［ｓｃｈｅｄｕｌｅ］を取得し、イベントグループ記述子以外の記述子の有無を確認するステップと、イベントグループ記述子以外の記述子が存在しない場合で、かつマルチ編成共有チャネル送出有無情報が送出無しの場合には、ＴＳパケットフィルタの送出パケット情報を送出なしに設定するステップと、イベント共有でない場合、または、イベントグループ記述子以外の記述子が存在する場合、または、イベントグループ記述子以外の記述子が存在しない場合でかつマルチ編成共有チャネル送出有無情報が送出有の場合には、ＴＳパケットフィルタにプログラムマップテーブルに記述された番組を構成するＴＳパケットのＰＩＤを送出するように設定するステップと、設定されたＴＳパケットフィルタの情報に基づいて、設定されているＰＩＤを有するＴＳパケットをのみを選別して送出するステップと、を有し、前記セクションデータ複製削除ステップが、予め保持した受信サービスＩＤに対応するＥＩＴ［ｓｃｈｅｄｕｌｅ］に、イベントグループ記述子を含むか否かと、イベントグループ記述子以外の記述子を含むか否かを確認するステップと、前記ＥＩＴ［ｓｃｈｅｄｕｌｅ］にイベントグループ記述子が含まれ、かつ、イベントグループ記述子以外の記述子が含まれていない場合は、受信サービスＩＤが参照するサービスＩＤである、と判定するステップと、受信サービスＩＤが参照するサービスＩＤであり、かつ、予め保持したマルチ編成共有チャネル送出有無情報が送出有の場合に、処理中のＥＩＴ［ｓｃｈｅｄｕｌｅ］のセクションデータの欠落箇所に、イベントグループ記述子で示される参照されるサービスＩＤのセクションデータを複製し、参照するサービスＩＤに対応するＥＩＴ［ｓｃｈｅｄｕｌｅ］を生成するステップと、受信サービスＩＤが参照するサービスＩＤであり、かつ予め保持したマルチ編成共有チャネル送出有無情報が送出無しの場合に、処理中のＥＩＴ［ｓｃｈｅｄｕｌｅ］および処理中のＥＩＴ［ｓｃｈｅｄｕｌｅ］と同一のイベントＩＤを有するＥＩＴ［ｐ／ｆ］を削除するステップと、を有する、ことを特徴とする。
【００２５】
請求項５記載の発明は、受信したＭＰＥＧ−２  ＴＳに含まれる番組とその番組に関する番組情報を合わせたＩＰマルチキャストストリームを送出する番組送出サーバと、該番組送出サーバから送信された番組情報に基づいたＩＰマルチキャストストリームを構築して送出する番組情報送出サーバを有し、前記番組送出サーバと番組情報送出サーバがネットワークで接続された番組及び番組情報送出システムであって、前記番組送出サーバが、ネットワーク情報テーブルの情報内容に基づいて、受信したＭＰＥＧ−２  ＴＳの放送メディアを判別し、その結果から番組情報の送出経路を選択するセクションデータ出力制御部、を備え、前記番組情報送出サーバが、前記番組送出サーバからのセクションデータを受信する前記セクションデータ受信部と、受信したセクションデータをＴＳパケットに格納するセクションデータＴＳパケット格納部と、前記セクションデータＴＳパケット格納部から入力されるＴＳパケットをＲＴＰパケットに格納し、該ＲＴＰパケットにＵＤＰヘッダおよびＩＰヘッダを付与して出力するＩＰパケット格納部と、を備える、を備えることを特徴とする。
【００２６】
請求項６記載の発明は、請求項５記載の発明において、前記セクションデータ出力制御部が、ネットワーク情報テーブル中の情報に基づいて、受信するＭＰＥＧ−２  ＴＳの放送メディアを特定し、番組情報の内容が各地域で異なる地上デジタル放送のチャネルの場合に、ＥＩＴ［ｓｃｈｅｄｕｌｅ］を番組と多重したＩＰマルチキャストストリームを送出する指示を設定し、番組情報が全国共通のＢＳデジタル放送、ＣＳデジタル放送のチャネルの場合には、ＥＩＴ［ｓｃｈｅｄｕｌｅ］を他のサービスのＥＩＴ［ｓｃｈｅｄｕｌｅ］と合わせて、単一の番組情報専用のＩＰマルチキャストストリームを送出する指示を設定する、を備えることを特徴とする。
【００２７】
請求項７記載の発明は、セクションデータの出力を制御するセクションデータ出力制御部を備え、受信したＭＰＥＧ−２  ＴＳに含まれる番組とその番組に関する番組情報を合わせたＩＰマルチキャストストリームを送出する番組送出サーバと、セクションデータを受信するセクション受信部，セクションデータＴＳパケットを格納するセクションデータＴＳパケット格納部，ＩＰパケットを格納するＩＰパケット格納部を備え、前記番組送出サーバから送信された番組情報に基づいたＩＰマルチキャストストリームを構築して送出する番組情報送出サーバが、ネットワークで接続され、前記番組送出サーバと番組情報送出サーバによって番組及び番組情報を送出する番組及び番組情報送出方法であって、前記セクションデータ出力制御部がネットワーク情報テーブルの情報内容に基づいて、受信したＭＰＥＧ−２  ＴＳの放送メディアを判別し、その結果から番組情報の送出経路を選択するセクションデータ出力制御ステップと、前記セクションデータ受信部が、前記番組送出サーバからのセクションデータを受信するステップと、前記セクションデータＴＳパケット格納部が、受信したセクションデータをＴＳパケットに格納するステップと、前記ＩＰパケット格納部が、前記セクションデータＴＳパケット格納部から入力されるＴＳパケットをＲＴＰパケットに格納し、該ＲＴＰパケットにＵＤＰヘッダおよびＩＰヘッダを付与して出力するステップと、を有することを特徴とする。
【００２８】
請求項８記載の発明は、請求項７記載の発明において、前記セクションデータ出力制御ステップが、ネットワーク情報テーブル中の情報に基づいて、受信するＭＰＥＧ−２  ＴＳの放送メディアを特定するステップと、番組情報の内容が各地域で異なる地上デジタル放送のチャネルの場合に、ＥＩＴ［ｓｃｈｅｄｕｌｅ］を番組と多重したＩＰマルチキャストストリームを送出する指示を設定するステップと、番組情報が全国共通のＢＳデジタル放送、ＣＳデジタル放送のチャネルの場合には、ＥＩＴ［ｓｃｈｅｄｕｌｅ］を他のサービスのＥＩＴ［ｓｃｈｅｄｕｌｅ］と合わせて、単一の番組情報専用のＩＰマルチキャストストリームを送出する指示を設定するステップと、を有することを特徴とする。
【００２９】
前記請求項１，３記載の発明は、マルチ編成運用時や、番組を構成するＴＳパケットの種類が変更になった際にも、番組マルチキャストストリームを生成できる。
【００３０】
ＩＰマルチキャストでの番組送出状況と番組情報の内容が一致させることができる。
【００３１】
前記請求項２，４記載の発明は、ＴＳパケットのＰＩＤ，イベントグループ記述子，マルチ編成共有チャネル送出有無情報に基づいて、ＴＳパケットを選別できる。
【００３２】
イベントグループ記述子に基づいて、マルチ編成が運用されているかどうかを判定し、マルチ編成共有チャネル送出有無情報に基づいて、ＥＩＴ［ｓｃｈｅｄｕｌｅ］の複製および削除、ＥＩＴ［ｐ／ｆ］の削除ができる。
【００３３】
前記請求項５，７記載の発明は、番組情報データ内容の地域性から選択的にストリームを構成し、サービス提供のためには、運用の負荷を軽減できる。
【００３４】
前記請求項６，８記載の発明は、ネットワーク情報テーブルに基づいて受信するＭＰＥＧ−２  ＴＳの放送メディアを特定できる。
【発明の効果】
【００３５】
以上示したように請求項１，３の発明によれば、受信したＭＰＥＧ−２  ＴＳから、番組および番組情報を多重化して送出する番組マルチキャストストリームと、各チャネルの番組情報を集約して送出する番組情報マルチキャストストリームを適切に自動生成できる。
【００３６】
請求項２，４の発明によれば、ＴＳパケットのＰＩＤ，イベントグループ記述子，マルチ編成共有チャネル送出有無情報に基づいて、番組および番組情報を多重化して送出する番組マルチキャストストリームと、各チャネルの番組情報を集約して送出する番組情報マルチキャストストリームを適切に自動生成できる。
【００３７】
請求項５，７の発明によれば、オペレータの運用稼動を低減するとともに、受信ＭＰＥＧ−２  ＴＳを適切に、ＩＰマルチキャストにて送出することが可能になり、コンテンツ提供者は安心して良質なコンテンツを提供でき、さらに、サービス事業者は、少ない運用稼動でコンテンツをユーザに提供することができる。
【００３８】
請求項６，８の発明によれば、ネットワーク情報テーブルに基づいたＩＰマルチキャストストリームを送出できる。
【００３９】
これを以ってＩＰ放送技術分野に貢献できる。
【発明を実施するための最良の形態】
【００４０】
本実施形態は、受信したＭＰＥＧ−２  ＴＳに含まれる番組情報を用いて、番組および番組情報を多重化して送出する番組マルチキャストストリームと、各チャネルの番組情報を集約して送出する番組情報マルチキャストストリームを生成するものである。
【００４１】
本実施形態で扱う番組に関する情報を説明する。本実施形態における番組は、映像，音声，字幕，データ放送，ＰＣＲ（Ｐｒｏｇｒａｍ  Ｃｌｏｃｋ  Ｒｅｆｅｒｅｎｃｅ）などから構成される。
【００４２】
なお、ＰＣＲは、映像及び音声をデコーダで復号する際に、時刻基準となるクロック情報である。
【００４３】
番組情報は、ＰＡＴ（Ｐｒｏｇｒａｍ  Ａｓｓｏｃｉａｔｉｏｎ  Ｔａｂｌｅ：プログラムアソシエーションテーブル），ＰＭＴ（Ｐｒｏｇｒａｍ  Ｍａｐ  Ｔａｂｌｅ：プログラムマップテーブル），ＮＩＴ（Ｎｅｔｗｏｒｋ  Ｉｎｆｏｒｍａｔｉｏｎ  Ｔａｂｌｅ：ネットワーク情報テーブル），ＳＤＴ（Ｓｅｒｖｉｃｅ  Ｄｅｓｃｒｉｐｔｉｏｎ  Ｔａｂｌｅ：サービス記述テーブル），ＢＩＴ（Ｂｒｏａｄｃａｓｔｅｒ  Ｉｎｆｏｒｍａｔｉｏｎ  Ｔａｂｌｅ：ブロードキャスタ情報テーブル），ＥＩＴ（Ｅｖｅｎｔ  Ｉｎｆｏｒｍａｔｉｏｎ  Ｔａｂｌｅ：イベント情報テーブル）などを含む情報である。
【００４４】
ＰＡＴは、ＰＭＴを伝送するＴＳパケットのＰＩＤ（Ｐａｃｋｅｔ  ＩＤ）を指定する情報である。
【００４５】
ＰＭＴは、サービス毎に１つ付与されるため、サービス数分のＰＭＴのＰＩＤが指定される。ＰＭＴは、番組を構成する映像，音声，字幕，ＰＣＲ，データ放送などの各符号化信号を伝送するＴＳパケットのＰＩＤを指定する情報である。
【００４６】
ＮＩＴは、周波数などの伝送路情報とサービスを関連づける情報である。
【００４７】
ＳＤＴは、編成サービス名、放送事業者名など、編成されたサービスに関する情報である。
【００４８】
ＢＩＴは、放送事業者に関する情報である。
【００４９】
ＥＩＴは、番組名、放送日時、番組内容説明など、番組の内容に関する情報が記載される。ＥＩＴには、番組の配信と同期して現在と次の番組に関する番組情報を記述するＥＩＴ［ｐ／ｆ（ｐｒｅｓｅｎｔ／ｆｏｌｌｏｗｉｎｇ）  ａｃｔｕａｌ］及びＥＩＴ［ｐ／ｆ  ｏｔｈｅｒ］（以下、これらを纏めてＥＩＴ［ｐ／ｆ］と記載する）と、Ｎ（例えば、Ｎは自然数）日分の番組情報を記述するＥＩＴ［ｓｃｈｅｄｕｌｅ  ａｃｔｕａｌ  ｂａｓｉｃ］，ＥＩＴ［ｓｃｈｅｄｕｌｅ  ａｃｔｕａｌ  ｅｘｔｅｎｄｅｄ］，ＥＩＴ［ｓｃｈｅｄｕｌｅ  ｏｔｈｅｒ  ｂａｓｉｃ］及びＥＩＴ［ｓｃｈｅｄｕｌｅ  ｏｔｈｅｒ  ｅｘｔｅｎｄｅｄ］（以下、これらを纏めてＥＩＴ［ｓｃｈｅｄｕｌｅ］と記載する）と、が存在する。
【００５０】
さらに詳細に説明すると、ＥＩＴ［ｓｃｈｅｄｕｌｅ］は、数日〜一ヶ月など、一定期間内の番組に関するイベント情報（番組名，放送日時，番組内容など）を記述し、伝送するイベント情報テーブルである。ＥＩＴ［ｐ／ｆ］は、現在時刻に放送されている番組（ｐ）のイベント情報（番組名，放送日時，番組内容など）と次番組情報（ｆ）のイベント情報を記述し、伝送するイベント情報テーブルである。
【００５１】
なお、ＥＩＴ［ｓｃｈｅｄｕｌｅ］は、テーブル識別子”ｓｃｈｅｄｕｌｅ”を設定されたイベント情報テーブルを指す表記である。同様に、ＥＩＴ［ｐ／ｆ］は、テーブル識別子”ｐ／ｆ”を設定されたイベント情報テーブルを指す表記である。
【００５２】
前記ＰＡＴ，ＰＭＴ，ＮＩＴ，ＳＤＴ，ＢＩＴ，ＥＩＴは、上述のＭＰＥＧ−２  Ｓｙｓｔｅｍｓ規格（非特許文献１参照）に準拠したセクションデータ形式でバイナリ符号化され、複数のＴＳパケットに分断されて、入力されるＭＰＥＧ−２  ＴＳに多重されている。
【００５３】
なお、これらの番組情報の詳細な内容については、上述のデジタル放送に関する規格や資料（非特許文献２，３，４）に記載されている。
【００５４】
本実施形態における番組及び番組情報送出システムは、番組送出サーバ及び番組情報送出サーバを有し、その番組送出サーバと番組情報送出サーバはネットワーク（例えば、ＩＰネットワーク）で接続されているものである。
【００５５】
番組送出サーバは、映像，音声，字幕，データ放送などを含む番組とその番組に関する番組情報を合わせてＩＰマルチキャストストリームを送出する。
【００５６】
番組情報送出サーバは、番組送出サーバから送信された番組情報を番組情報専用のＩＰマルチキャストストリームとして再構築して送出する。
【００５７】
番組送出サーバの構成を図１に基づいて説明する。
【００５８】
番組送出サーバ３は、送出制御情報蓄積部３ａ，ＭＰＥＧ−２  ＴＳ受信部３ｂ，セクションデータ抽出部３ｃ，セクションデータ蓄積部３ｄ，ＴＳパケットフィルタ部３ｅ，セクションデータ編集部３ｆ，セクションデータ複製削除部３ｇ，セクションデータ出力制御部３ｈ，セクションデータＴＳパケット格納部３ｉ，ＴＳパケット多重化部３ｊ，ＩＰパケット格納部３ｋから構成される。
【００５９】
送出制御情報蓄積部３ａは、以下の処理を行う。
【００６０】
予め、送出制御情報蓄積部３ａは、送出制御情報を保持する。
【００６１】
保持した送出制御情報は、ＴＳパケットフィルタ部３ｅ，セクションデータ複製削除部３ｇ、セクションデータ編集部３ｆ，セクションデータ出力制御部３ｈ，セクションデータＴＳパケット格納部３ｉによって参照される。
【００６２】
前記送出制御情報は、受信サービスＩＤ，送信サービスＩＤ，送信マルチキャストアドレス，ＩＰ放送事業者ＩＤ，サービスタイプ，マルチ編成共有チャネルの送出有無情報，番組マルチキャストストリームの送出対象セクションデータ種別（ＰＡＴ，ＰＭＴ，ＮＩＴ，ＳＤＴ，ＢＩＴ，ＥＩＴ［ｐ／ｆ］，ＥＩＴ［ｓｃｈｅｄｕｌｅ］から選択指定する種別），番組情報マルチキャストストリームの送出対象セクションデータ種別（ＰＡＴ，ＰＭＴ，ＮＩＴ，ＳＤＴ，ＢＩＴ，ＥＩＴ［ｐ／ｆ］，ＥＩＴ［ｓｃｈｅｄｕｌｅ］から選択指定する種別）を含む情報である。
【００６３】
ＭＰＥＧ−２  ＴＳ受信部３ｂは、以下の処理を行う。
【００６４】
まず、ＭＰＥＧ−２  ＴＳ受信部３ｂは、番組および番組情報が多重されたＭＰＥＧ−２  ＴＳを連続するＴＳパケットとして受信する。
【００６５】
そして、受信したＴＳパケットをセクションデータ抽出部３ｄおよびＴＳパケットフィルタ部３ｅに出力する。
【００６６】
セクションデータ抽出部３ｃは、以下の処理を行う。
【００６７】
まず、セクションデータ抽出部３ｃは、ＭＰＥＧ−２  ＴＳ受信部３ｂで受信したＴＳパケットのうち、番組情報伝送用に割り当てられたＰＩＤ（ＰＭＴ伝送以外は、固定的に割り当てられる）を有するＴＳパケットを取得する。取得したＴＳパケットのペイロード部分を順に結合し、セクションデータを抽出する。抽出したセクションデータから、セクションデータ毎に付与されるバージョン番号とテーブルＩＤとテーブルＩＤエクステンションを抽出する。
【００６８】
抽出したテーブルＩＤおよびテーブルＩＤエクステンションが以前に受信したものでない場合は、抽出したセクションデータをセクションデータ蓄積部３ｄに保持させる。抽出したテーブルＩＤおよびテーブルＩＤエクステンションが以前に受信したものである場合は、セクションデータ蓄積部３ｄに保持されたバージョン番号と、抽出したバージョン番号を比較する。比較した両方のバージョン番号が異なる場合には、セクションデータ蓄積部３ｄに今回抽出したセクションデータを上書きして保持させる。
【００６９】
以前受信したものでないテーブルＩＤおよびテーブルＩＤエクステンションを有するセクションデータを抽出した際、または、受信済みのテーブルＩＤおよびテーブルＩＤエクステンションを有するセクションデータについて保持したものと異なるバージョン番号のセクションデータを抽出した際に、ＴＳパケットフィルタ部３ｅ，セクションデータ編集部３ｆ，セクションデータ複製削除部３ｇ，セクションデータ出力制御部３ｈ，セクションデータＴＳパケット格納部３ｉに、当該セクションデータの新規受信や更新が発生したことを通知する。
【００７０】
セクションデータ蓄積部３ｄは以下の処理を行う。このセクションデータ蓄積部３ｄに関するデータ入出力も、図２に基づいて説明する。
【００７１】
まず、セクションデータ蓄積部３ｄは、セクションデータ抽出部３ｃから出力されたセクションデータを受信セクションデータとして保持する（Ｍ１０１）。受信セクションデータのうち、送信制御情報蓄積部３ａに保持される受信サービスＩＤを有するものを複製して送信セクションデータとして保持する（Ｍ１０２）。
【００７２】
ＴＳパケットフィルタ部３ｅ，セクションデータ編集部３ｆ，セクションデータ複製削除部３ｇ，セクションデータ出力制御部３ｈ，セクションデータＴＳパケット格納部３ｉからの要求に応じて、セクションデータを要求元の処理部に出力する（Ｍ１０３，Ｍ１０４，Ｍ１０６，Ｍ１０８，Ｍ１０９，Ｍ１１０）。
【００７３】
セクションデータ編集部３ｆ，セクションデータ複製削除部３ｇから出力されるセクションデータを、送信セクションデータとして上書き保持する（Ｍ１０５，Ｍ１０７）。
【００７４】
ＴＳパケットフィルタ部３ｅは以下の処理を行う。
【００７５】
まず、ＴＳパケットフィルタ部３ｅは、セクションデータ抽出部３ｃからのセクションデータ新規受信または更新発生通知を契機に、セクションデータ蓄積部３ｄに保持される受信セクションデータのうち、全てのＰＭＴを取得する。
【００７６】
次に、それぞれのＰＭＴに記述された、番組を構成するＴＳパケットのＰＩＤ（Ｐａｃｋｅｔ  ＩＤ）を比較する。ＰＩＤが一致する場合は、受信サービスＩＤが他のサービスとイベント共有中（例えば、図７のＨＤＴＶ１ｃｈ放送時のチャネル１００ＣＨ１００とチャネル１０１ＣＨ１０１の関係に該当）であると判定する。イベント共有中と判定すると、セクションデータ蓄積部３ｄに保持した受信セクションデータのうち、受信サービスＩＤの現在時刻の番組に関するＥＩＴ［ｓｃｈｅｄｕｌｅ］を取得する。なお、イベントとは、番組を指す言葉である。
【００７７】
次に、取得したＥＩＴ［ｓｃｈｅｄｕｌｅ］のデータ中で、イベントグループ記述子以外の記述子の有無を確認する。なお、イベントグループ記述子は、イベント共有時の同一イベントのグループ化（１つの番組を複数のサービスで放送する場合に、１つにまとめる方式）の情報、イベントリレー（あるイベントから他のイベントへ誘導）を行う場合のリンク情報、およびサービスをまたがるイベント移動時の移動元の情報を記述するものである。
【００７８】
イベントグループ記述子以外の記述子が存在しない場合に、送出制御情報蓄積部３ａで管理されるマルチ編成共有チャネル送出の有無を示す情報（以後、マルチ編成共有チャネル送出有無情報と称する）が送出無しであれば、ＴＳパケットフィルタの送出パケットＰＩＤの情報をクリア（ＰＩＤなし）に設定する。
【００７９】
「イベント共有中でない」場合、または、「イベントグループ記述子以外の記述子が存在する」場合、または、「イベントグループ記述子以外の記述子が存在せず、マルチ編成共有チャネル送出有無情報が送出有である」場合には、ＴＳパケットフィルタに受信サービスＩＤに該当するＰＭＴに記述された番組を構成するＴＳパケットのＰＩＤを設定する。
【００８０】
そして、ＴＳパケットフィルタに設定されたＰＩＤを有するＴＳパケットを選別して、ＴＳパケット多重化部３ｊに出力する。
【００８１】
セクションデータ複製削除部３ｇは、以下の処理を行う。
【００８２】
まず、セクションデータ複製削除部３ｇは、セクションデータ抽出部３ｃからのセクションデータ新規受信または更新発生通知を契機に、セクションデータ蓄積部３ｄに保持される受信セクションデータのうち、新規受信または更新されたＥＩＴ［ｓｃｈｅｄｕｌｅ］を取得する。
【００８３】
次に、取得したＥＩＴ［ｓｃｈｅｄｕｌｅ］のデータの中で、イベントグループ記述子の有無と、それ以外の記述子の有無を確認する。イベントグループ記述子が存在し、かつそれ以外の記述子が存在しない場合は、「受信サービスＩＤは、参照するサービスＩＤ」であると判定する。
【００８４】
次に、受信サービスＩＤが参照するサービスＩＤであり、かつ送出制御情報蓄積部３ａに保持されるマルチ編成共有チャネル送出有無情報が送出有の場合、取得したＥＩＴ［ｓｃｈｅｄｕｌｅ］（ＥＩＴ１）のイベントグループ記述子に記述されるサービスＩＤとイベントＩＤを抽出する。
【００８５】
次に、セクションデータ蓄積部３ｄに保持される受信セクションデータから、抽出したサービスＩＤとイベントＩＤを有する他のＥＩＴ［ｓｃｈｅｄｕｌｅ］（ＥＩＴ２）を取得する。ＥＩＴ１の欠落箇所にＥＩＴ２のデータを複製する（ＥＩＴ３）。ＥＩＴ３のＣＲＣ３２に計算する。計算したＣＲＣ３２（Ｃｙｃｌｉｃ  Ｒｅｄｕｎｄａｎｃｙ  Ｃｈｅｃｋ  ３２）値をＥＩＴ３に付与し、ＥＩＴ４を生成する。ＥＩＴ４を、ＥＩＴ１に対する送信セクションデータとしてセクションデータ蓄積部３ｄに保持させる。
【００８６】
そして、受信サービスＩＤが参照するサービスＩＤであり、かつ送出制御情報蓄積部３ａに保持されるマルチ編成共有チャネル送出有無情報が送出無しの場合、取得したＥＩＴ［ｓｃｈｅｄｕｌｅ］および、取得したＥＩＴ［ｓｃｈｅｄｕｌｅ］と同一のイベントＩＤを有するＥＩＴ［ｐ／ｆ］について、セクションデータ蓄積部３ｄに保持される送信セクションデータを削除する。
【００８７】
なお、受信サービスＩＤが、参照するサービスＩＤであるか、参照されるサービスＩＤであるかは、取得したＥＩＴ［ｓｃｈｅｄｕｌｅ］中にイベントグループ記述子が存在する場合に、そのイベントグループ記述子中に列挙されるサービスＩＤまたはイベントＩＤが単一か複数かを確認することでも判定可能である。サービスＩＤまたはイベントＩＤが単一である場合は、参照するサービスＩＤであり、複数である場合は、参照されるサービスＩＤであると判定する。
【００８８】
セクションデータ編集部３ｆは以下の処理を行う。
【００８９】
まず、セクションデータ編集部３ｆは、セクションデータ複製削除部３ｇで処理を実行した後、セクションデータ蓄積部３ｄに保持された送信セクションデータを取得する。
【００９０】
次に、取得した送信セクションデータのうちＰＡＴ，ＰＭＴ，ＥＩＴのサービスＩＤを、送出制御情報蓄積部３ａに保持された送信サービスＩＤに変更する。
【００９１】
次に、取得した送信セクションデータのうちＮＩＴに、送出制御情報蓄積部３ａに保持された送信マルチキャストアドレスを記述する。
【００９２】
次に、取得した送信セクションデータのうちＮＩＴとＳＤＴのサービスタイプを送出制御情報蓄積部３ａに保持されたサービスタイプに変更する。
【００９３】
次に、取得した送信セクションデータのうちＢＩＴにＩＰ放送事業者ＩＤなどを記述する。
【００９４】
次に、変更および新たに情報を付加した送信セクションデータに対してＣＲＣ３２値を計算し、変更および新たに情報を付加した送信セクションデータ中の該当するビット位置にＣＲＣ３２値を記述する。
【００９５】
そして、変更および新たに情報を付加し、ＣＲＣ３２値を付加した送信セクションデータを、セクションデータ蓄積部３ｄに送信セクションデータとして上書き保持させる。
【００９６】
セクションデータ出力制御部３ｈは以下の処理を行う。
【００９７】
まず、セクションデータ出力制御部３ｈは、送出制御情報蓄積部３ａに保持された、番組情報マルチキャストストリームの送出対象セクションデータ種別を取得する。送出対象であるセクションデータは、外部出力フラグをＯＮに設定する。送出対象ではないセクションデータは、外部出力フラグをＯＦＦに設定する。
【００９８】
次に、セクションデータ蓄積部３ｄに保持される受信セクションデータのうちＮＩＴを取得する。取得したＮＩＴに記述されるネットワークＩＤ、伝送周波数などによって、ＭＰＥＧ−２  ＴＳ受信部３ｂで受信したＴＳパケットの放送メディアを特定する。放送メディアが地上デジタル放送のチャネルの場合はＥＩＴ［ｓｃｈｅｄｕｌｅ］の外部出力フラグをＯＦＦに設定する。放送メディアがＢＳ（Ｂｒｏａｄｃａｓｔｉｎｇ  Ｓａｔｅｌｌｉｔｅ）デジタル放送やＣＳ（Ｃｏｍｍｕｎｉｃａｔｉｏｎ  Ｓａｔｅｌｌｉｔｅ）デジタル放送の場合には、ＥＩＴ［ｓｃｈｅｄｕｌｅ］の外部出力フラグをＯＮに設定する。
【００９９】
次に、外部出力フラグがＯＮになっているセクションデータについて、セクションデータ蓄積部３ｄに保持される送出セクションデータを取得する。取得した送出セクションデータを番組情報送出サーバに送信する。
【０１００】
そして、放送メディアを特定した結果を、セクションデータＴＳパケット格納部３ｉに通知する。
【０１０１】
セクションデータＴＳパケット格納部３ｉは以下の処理を行う。
【０１０２】
まず、セクションデータＴＳパケット格納部３ｉは、送出制御情報蓄積部３ａに保持される番組マルチキャストストリームの送出対象セクションデータ種別を取得する。セクションデータ出力制御部３ｈで、受信ＭＰＥＧ−２  ＴＳの放送メディアが地上デジタル放送の場合は、番組マルチキャストストリームの送出対象セクションデータ種別によらず、ＥＩＴ［ｓｃｈｅｄｕｌｅ］を送出対象とする。
【０１０３】
そして、送出対象であるセクションデータ種別についてセクションデータ蓄積部３ｄの送信セクションデータから取得する。取得した送信セクションデータをＴＳパケットに格納する。ＴＳパケットをＴＳパケット多重化部３ｊに出力する。
【０１０４】
ＴＳパケット多重化部３ｊは以下の処理を行う。
【０１０５】
まず、ＴＳパケット多重化部３ｊは、ＴＳパケットフィルタ部３ｅからのＴＳパケットを受信する。
【０１０６】
次に、セクションデータＴＳパケット格納部３ｉからのＴＳパケットを受信する。受信したＴＳパケットを時分割多重する。
【０１０７】
そして、多重したＴＳパケットをＩＰパケット格納部３ｋに出力する
ＩＰパケット格納部３ｋは以下の処理を行う。
【０１０８】
まず、ＩＰパケット格納部３ｋは、ＴＳパケット多重化部３ｊから入力されるＴＳパケットをＲＴＰパケットに格納する。
【０１０９】
そして、ＲＴＰパケットにＵＤＰヘッダおよびＩＰヘッダを付与して出力する。
【０１１０】
番組情報送出サーバの構成を図３に基づいて説明する。
【０１１１】
番組情報送出サーバ４は、セクション受信部４ａ，セクションデータＴＳパケット格納部４ｂ，ＩＰパケット格納部４ｃから構成される。
【０１１２】
セクションデータ受信部４ａでは、複数の番組送出サーバからのセクションデータを受信する。
【０１１３】
セクションデータＴＳパケット格納部４ｂは、受信したセクションデータをＴＳパケットに格納する。
【０１１４】
ＩＰパケット格納部４ｃでは、セクションデータＴＳパケット格納部４ｂから入力されるＴＳパケットをＲＴＰパケットに格納する。ＲＴＰパケットにＵＤＰヘッダおよびＩＰヘッダを付与して出力する。
【０１１５】
本実施形態における番組および番組情報送出のシステム動作例を図４に基づいて説明する。
【０１１６】
以下の説明では、出力する番組マルチキャストストリーム中に、各チャネルに該当するＰＡＴ，ＰＭＴ，ＮＩＴ，ＳＤＴ，ＢＩＴ，ＥＩＴ［ｐ／ｆ］を多重し、番組情報マルチキャストストリームでは、各チャネルのＥＩＴ［ｓｃｈｅｄｕｌｅ］を集約して送出するシステム動作について述べる。
【０１１７】
本実施例では、受信するＭＰＥＧ−２  ＴＳとして、ＭＰＥＧ−２  ＴＳ（以下、単にストリームという）  ｓｔ１，ｓｔ２，ｓｔ３が存在する。ストリームｓｔ１，ｓｔ２はＢＳデジタル放送のストリーム、ストリームｓｔ３は地上デジタル放送のストリームとする。
【０１１８】
番組送出サーバ３１では、受信したストリーム（ＭＰＥＧ−２  ＴＳ）ｓｔ１中のＮＩＴからネットワークＩＤを取得し、受信したストリーム（ＭＰＥＧ−２  ＴＳ）ｓｔ１がＢＳデジタル放送のものであることを検知する。
【０１１９】
入力ストリームｓｔ１中に含まれるセクションデータのうち、ＥＩＴ［ｓｃｈｅｄｕｌｅ］を番組情報送信サーバ４１に出力する。
【０１２０】
送出制御情報に基づいて編集したＰＡＴ，ＰＭＴ，ＥＩＴ［ｐ／ｆ］，ＮＩＴ，ＢＩＴ，ＳＤＴをＴＳパケットに格納する。
【０１２１】
セクションデータを格納したＴＳパケットと、入力ストリームｓｔ１に多重されていた映像，音声，字幕，データ放送，ＰＣＲを格納したＴＳパケットを多重化する。
【０１２２】
多重後のＴＳパケットをＩＰパケットに格納して、チャネルＡの番組マルチキャストストリームとして送出する。
【０１２３】
番組送出サーバ３２では、受信したストリーム（ＭＰＥＧ−２  ＴＳ）ｓｔ２中のＮＩＴからネットワークＩＤを取得し、受信したストリーム（ＭＰＥＧ−２  ＴＳ）ｓｔ２がＢＳデジタル放送のものであることを検知する。
【０１２４】
入力ストリームｓｔ２中に含まれるセクションデータのうち、ＥＩＴ［ｓｃｈｅｄｕｌｅ］を番組情報送信サーバ４１に出力する。
【０１２５】
送出制御情報に基づいて編集したＰＡＴ，ＰＭＴ，ＥＩＴ［ｐ／ｆ］，ＮＩＴ，ＢＩＴ，ＳＤＴをＴＳパケットに格納する。
【０１２６】
セクションデータを格納したＴＳパケットと、入力ストリームｓｔ２に多重されていた映像，音声，字幕，データ放送，ＰＣＲを格納したＴＳパケットを多重化する。
【０１２７】
多重後のＴＳパケットをＩＰパケットに格納して、チャネルＢの番組マルチキャストストリームとして送出する。
【０１２８】
番組送出サーバ３３では、受信したストリーム（ＭＰＥＧ−２  ＴＳ）ｓｔ３中のＮＩＴからネットワークＩＤを取得し、受信したストリーム（ＭＰＥＧ−２  ＴＳ）ｓｔ３が地上デジタル放送のものであることを検知する。
【０１２９】
送出制御情報に基づいて編集したＰＡＴ，ＰＭＴ，ＥＩＴ［ｐ／ｆ］，ＥＩＴ［ｓｃｈｅｄｕｌｅ］，ＮＩＴ，ＢＩＴ，ＳＤＴをＴＳパケットに格納する。
【０１３０】
セクションデータを格納したＴＳパケットと、入力ストリームｓｔ３に多重されていた映像，音声，字幕，データ放送，ＰＣＲを格納したＴＳパケットを多重化する。
【０１３１】
多重後のＴＳパケットをＩＰパケットに格納して、チャネルＣの番組マルチキャストストリームとして送出する。
【０１３２】
番組情報送出サーバ４１では、番組送出サーバ３１及び３２から入力された番組情報のセクションデータを受け取り、ＴＳパケットに格納した後、ＩＰパケットに格納して、チャネルＡ、ＢのＥＩＴ［ｓｃｈｅｄｕｌｅ］を含む番組情報マルチキャストストリームとして送出する。
【０１３３】
以上のように、前述の第一の課題を解決するため、本実施形態では、受信したＭＰＥＧ−２  ＴＳに含まれる番組をＩＰマルチキャストで送出する番組送出サーバにおいて、あらかじめ保持した受信サービスＩＤのＰＭＴ（Ｐｒｏｇｒａｍ  Ｍａｐ  Ｔａｂｌｅ：プログラムマップテーブル）、ＥＩＴ（Ｅｖｅｎｔ  Ｉｎｆｏｒｍａｔｉｏｎ  Ｔａｂｌｅ：イベント情報テーブル）の情報に基づき、送出対象のＴＳパケットを自動的に選択してＩＰパケットに格納して送出する。
【０１３４】
具体的には、まず、予め保持した受信サービスＩＤに対応するＰＭＴと、他のサービスＩＤに対応するＰＭＴを取得する。それぞれのＰＭＴに記述された番組を構成するＴＳパケットのＰＩＤ（Ｐａｃｋｅｔ  ＩＤ）を比較し、一致する場合は、受信サービスＩＤが他のサービスとイベント共有中であると判定する。
【０１３５】
イベント共有中の場合は、さらに当該時刻の受信サービスＩＤのＥＩＴ［ｓｃｈｅｄｕｌｅ］を取得し、イベントグループ記述子以外の記述子の有無を確認する。
【０１３６】
イベントグループ記述子以外の記述子が存在しない場合で、かつマルチ編成共有チャネル送出有無情報が送出無しの場合には、ＴＳパケットフィルタの送出パケット情報をクリア（送出なし）に設定する。
【０１３７】
それ以外の場合、つまり、「イベント共有でない場合」、または、「イベントグループ記述子以外の記述子が存在する場合」、または、「イベントグループ記述子以外の記述子が存在しない場合でかつマルチ編成共有チャネル送出有無情報が送出有の場合」には、ＴＳパケットフィルタにＰＭＴに記述された番組を構成するＴＳパケットのＰＩＤを送出するように設定する。
【０１３８】
最後に、設定されたＴＳパケットフィルタの情報に基づいて、設定されているＰＩＤを有するＴＳパケットをのみを選別して、ＲＴＰパケットに格納し、ＵＤＰ、ＩＰヘッダを付与してＩＰマルチキャストにて送出する。
【０１３９】
上述の第二の課題を解決するため、本実施形態では、受信したＭＰＥＧ−２  ＴＳに含まれるＥＩＴをＩＰマルチキャストで送出する番組送出サーバおよび番組情報送出サーバにおいて、ＥＩＴの情報内容から受信ＭＰＥＧ−２  ＴＳ内で提供されるマルチ編成時の番組情報構成を判定し、イベント共有時の番組情報を生成または削除する。
【０１４０】
具体的には、まず、予め保持した受信サービスＩＤに対応するＥＩＴ［ｓｃｈｅｄｕｌｅ］について、それぞれ、イベントグループ記述子の有無と、それ以外の記述子の有無を確認する。イベントグループ記述子が存在し、かつそれ以外の記述子が存在しない場合は、「受信サービスＩＤは、参照するサービスＩＤ」であると判定する。
【０１４１】
受信サービスＩＤが参照するサービスＩＤであり、かつ予め保持したマルチ編成共有チャネル送出有無情報が送出有の場合、現在、処理中のＥＩＴ［ｓｃｈｅｄｕｌｅ］のセクションデータの欠落箇所に、参照されるサービスＩＤ（イベントグループ記述子で示される）のセクションデータを複製し、ＣＲＣ３２値を計算して付与した上で、参照するサービスＩＤのＥＩＴ［ｓｃｈｅｄｕｌｅ］を生成する。
【０１４２】
生成したＥＩＴ［ｓｃｈｅｄｕｌｅ］は、ＴＳパケットに格納した上で、ＩＰパケットに格納し、ＵＤＰ、ＩＰヘッダを付与して番組マルチキャストストリームまたは、番組情報マルチキャストストリームとして送出する。
【０１４３】
一方、受信サービスＩＤが参照するサービスＩＤであり、かつ予め保持したマルチ編成共有チャネル送出有無情報が送出無しの場合、現在処理中のＥＩＴ［ｓｃｈｅｄｕｌｅ］および、処理中のＥＩＴ［ｓｃｈｅｄｕｌｅ］と同一のイベントＩＤを有するＥＩＴ［ｐ／ｆ］を削除する。
【０１４４】
なお、受信サービスＩＤが参照するサービスＩＤであるかどうかの判定は、当該ＥＩＴ［ｓｃｈｅｄｕｌｅ］中にイベントグループ記述子が存在しており、そのイベントグループ記述子中に列挙されるサービスＩＤが単一か複数かを確認することでも判定できる。サービスＩＤが単一である場合は、参照するサービスＩＤであり、複数である場合は、参照されるサービスＩＤであるとして良い。
【０１４５】
上述の第三の課題を解決するために、本実施形態では、受信したＭＰＥＧ−２  ＴＳに含まれる番組情報をＩＰマルチキャストで送出する番組送出サーバおよび番組情報送出サーバにおいて、ＮＩＴの情報内容から受信ＭＰＥＧ−２  ＴＳの放送メディアを判別し、その結果から番組情報の送出経路を選択する。
【０１４６】
具体的には、まず、ＮＩＴからのネットワークＩＤ，伝送周波数などを用いて、受信ＭＰＥＧ−２  ＴＳの放送メディアを特定する。番組情報の内容が、各地域で異なる地上デジタル放送のチャネルの場合はＥＩＴ［ｓｃｈｅｄｕｌｅ］を番組と多重してＩＰマルチキャストする。番組情報が全国共通のＢＳデジタル放送、ＣＳデジタル放送のチャネルの場合には、ＥＩＴ［ｓｃｈｅｄｕｌｅ］を他のサービスのＥＩＴ［ｓｃｈｅｄｕｌｅ］と合わせて、単一の番組情報専用のＩＰマルチキャストストリームとして送出する。
【０１４７】
なお、本実施形態は、ＭＰＥＧ−２の映像データに限定されるものではなく、ＭＰＥＧ−２  ＴＳ（即ち、多重及び伝送の仕組み）中に、ＭＰＥＧ−１，ＭＰＥＧ−４，Ｈ．２６４／ＡＶＣ（Ａｄｖａｎｃｅｄ  Ｖｉｄｅｏ  Ｃｏｄｉｎｇ）等の映像データ、ＭＰＥＧ−２  ＡＡＣ（Ａｄｖａｎｃｅｄ  Ａｕｄｉｏ  Ｃｏｄｉｎｇ）等の音声データが含まれていても良い。
【０１４８】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【０１４９】
例えば、本実施形態における変形として、番組送出サーバ及び番組情報送出サーバを同一のサーバ装置で実現しても良い。
【図面の簡単な説明】
【０１５０】
【図１】本実施形態における番組送出サーバの構成図。
【図２】本実施形態におけるセクションデータ蓄積部に関するデータ入出力図。
【図３】本実施形態における番組情報送出サーバの構成図。
【図４】本実施例における番組及び番組情報送出システムの構成図。
【図５】一般的なＩＰ放送の番組および番組情報の配信装置の構成図。
【図６】ＩＰ放送のプロトコルスタック図。
【図７】マルチ編成時のＩＰ放送の例を示す図。
【符号の説明】
【０１５１】
１…チューナ
２…中継部
２ａ…ＮＩＴ変換処理部
２ｂ…多重化処理部
２ｃ…ＩＰ格納処理部
３，３１，３２，３３…番組送出サーバ
３ａ…送出制御情報蓄積部
３ｂ…ＭＰＥＧ−２  ＴＳ受信部
３ｃ…セクションデータ抽出部
３ｄ…セクションデータ蓄積部
３ｅ…ＴＳパケットフィルタ部
３ｆ…セクションデータ編集部
３ｇ…セクションデータ複製削除部
３ｈ…セクションデータ出力制御部
３ｉ…セクションデータＴＳパケット格納部
３ｊ…ＴＳパケット多重化部
３ｋ…ＩＰパケット格納部
４，４１…番組情報送出サーバ
４ａ…セクション受信部
４ｂ…セクションデータＴＳパケット格納部
４ｃ…ＩＰパケット格納部
Ｂ１，Ｂ２…放送データ
ＣＨ１００，ＣＨ１０１…チャンネル
Ｌ１…ＩＰレイヤ
Ｌ２…ＵＤＰレイヤ
Ｌ３…ＲＴＰレイヤ
Ｌ４…ＭＰＥＧ−２  ＴＳレイヤ
Ｌ５…ＰＥＳレイヤ
Ｌ６…セクションレイヤ
Ｌ７…映像音声データのためのレイヤ
Ｌ８…情報サービスデータのためのレイヤ
Ｌ９…番組情報のためのレイヤ
Ｐ…ＭＰＥＧ−２  ＴＳパケット
ｓｔ１，ｓｔ２，ｓｔ３…ＭＰＥＧ−２  ＴＳ
【図１】
2008035355.tif 000003
【図２】
2008035355.tif 000004
【図３】
2008035355.tif 000005
【図４】
2008035355.tif 000006
【図５】
2008035355.tif 000007
【図６】
2008035355.tif 000008
【図７】
2008035355.tif 000009